(57)【特許請求の範囲】
【請求項１】
商品の売上登録処理を実行する商品販売データ処理装置において、
ケーシングに対して引き出し自在なドロワを備えるドロワ装置と、
前記ドロワをその閉塞位置で解除自在にロックするロック機構と、
指紋を読み取り、読み取った前記指紋に基づいた指紋データを出力する指紋読取装置と、
前記売上登録を行う販売員の前記指紋データが予め記憶される第１の記憶領域と、前記販売員以外の店員の前記指紋データが予め記憶される第２の記憶領域とを有する指紋データ記憶テーブルと、
前記指紋読取装置による前記指紋の読取処理を含んで前記ドロワの開放を宣言する開放宣言手段と、
前記開放宣言手段により前記ドロワの開放が宣言される毎に、前記指紋読取装置より出力された前記指紋データに合致する前記指紋データが前記第１の記憶領域にあるか否かを判断する第１の判断手段と、
前記第１の判断手段によって合致する前記指紋データがないと判断した場合に、前記指紋読取装置より出力された前記指紋データに合致する前記指紋データが前記第２の記憶領域にあるか否かを判断する第２の判断手段と、
前記第１または第２の判断手段のいずれか一方による判断が肯定的である場合に、ロックを解除させるように前記ロック機構を駆動制御するロック解除手段と、
を備えることを特徴とする商品販売データ処理装置。
【請求項２】
商品の売上登録処理を実行する商品販売データ処理装置において、
ケーシングに対して引き出し自在なドロワを備えるドロワ装置と、
前記ドロワをその閉塞位置で解除自在にロックするロック機構と、
指紋を読み取り、読み取った前記指紋に基づいた指紋データを出力する指紋読取装置と、
店員の前記指紋データが予め記憶される指紋データ記憶テーブルと、
指紋登録処理の実行を宣言する登録宣言手段と、
前記登録宣言手段により前記指紋登録処理の実行が宣言され、前記指紋登録処理として、前記指紋読取装置によって読み取られて出力された前記指紋データが前記指紋データ記憶テーブルに記憶されている前記指紋データの一つに合致する場合、この指紋データを記憶領域に記憶する指紋データ記憶手段と、
前記指紋読取装置による前記指紋の読取処理を含んで前記ドロワの開放を宣言する開放宣言手段と、
前記開放宣言手段により前記ドロワの開放が宣言される毎に、前記指紋読取装置より出力された前記指紋データが前記記憶領域に記憶されている前記指紋データに合致するか否かを判断する第３の判断手段と、
前記第３の判断手段によって合致する前記指紋データがないと判断した場合に、前記指紋読取装置より出力された前記指紋データに合致する前記指紋データが前記指紋データ記憶テーブルにあるか否かを判断する第４の判断手段と、
前記第３または第４の判断手段のいずれか一方による判断が肯定的である場合に、ロックを解除させるように前記ロック機構を駆動制御するロック解除手段と、
を備えることを特徴とする商品販売データ処理装置。
【請求項３】
前記指紋データ記憶テーブルに記憶された前記指紋データに合致する前記指紋データがないと判断した場合に、前記指紋読取装置より出力された前記指紋データを不正履歴として記憶領域に登録する不正履歴登録手段を備える請求項１または２記載の商品販売データ処理装置。
【請求項４】
商品の売上登録処理を実行する複数台の商品販売データ処理装置が外部機器を介して通信自在に接続された商品販売データ処理システムにおいて、
各商品販売データ処理装置毎に設けられ、ケーシングに対して引き出し自在なドロワを備えるドロワ装置と、
各ドロワ装置毎に設けられ、前記ドロワをその閉塞位置で解除自在にロックするロック機構と、
各商品販売データ処理装置毎に設けられ、指紋を読み取り、読み取った前記指紋に基づいた指紋データを対応する前記商品販売データ処理装置に対して出力する指紋読取装置と、
各商品販売データ処理装置毎に設けられ、売上登録を行う販売員の前記指紋データが予め記憶される第１の記憶テーブルと、
前記外部機器に設けられ、前記販売員以外の店員の前記指紋データが予め記憶される第２の記憶テーブルと、
各商品販売データ処理装置毎に設けられ、対応する前記指紋読取装置による前記指紋の読取処理を含んで対応する前記ドロワの開放を宣言する開放宣言手段と、
各商品販売データ処理装置毎に、前記開放宣言手段により前記ドロワの開放が宣言される毎に、この開放宣言手段に応じた前記指紋読取装置より出力された前記指紋データに合致する前記指紋データが前記第１の記憶テーブルにあるか否かを判断する第１の判断手段と、
前記第１の判断手段によって合致する前記指紋データがないと判断した場合に、前記指紋読取装置より出力された前記指紋データに合致する前記指紋データが前記第２の記憶テーブルにあるか否かを判断する第２の判断手段と、
各商品販売データ処理装置毎に、前記第１または第２の判断手段のいずれか一方による判断が肯定的である場合に、対応する前記ロック機構のロックを解除させるように前記ロック機構を駆動制御するロック解除手段と、
を備えることを特徴とする商品販売データ処理システム。
【請求項５】
商品の売上登録処理を実行する複数台の商品販売データ処理装置が外部機器を介して通信自在に接続された商品販売データ処理システムにおいて、
各商品販売データ処理装置毎に設けられ、ケーシングに対して引き出し自在なドロワを備えるドロワ装置と、
各ドロワ装置毎に設けられ、前記ドロワをその閉塞位置で解除自在にロックするロック機構と、
各商品販売データ処理装置毎に設けられ、指紋を読み取り、読み取った前記指紋に基づいた指紋データを対応する前記商品販売データ処理装置に対して出力する指紋読取装置と、
前記外部機器に設けられ、店員の前記指紋データが予め記憶される指紋データ記憶テーブルと、
各商品販売データ処理装置毎に設けられ、指紋登録処理の実行を宣言する登録宣言手段と、
各商品販売データ処理装置毎に、前記登録宣言手段により前記指紋登録処理の実行が宣言され、前記指紋登録処理として、対応する前記指紋読取装置によって読み取られて出力された前記指紋データが前記指紋データ記憶テーブルに記憶されている前記指紋データの一つに合致する場合、この指紋データを記憶領域に記憶する指紋データ記憶手段と、
各商品販売データ処理装置毎に設けられ、対応する前記指紋読取装置による前記指紋の読取処理を含んで対応する前記ドロワの開放を宣言する開放宣言手段と、
各商品販売データ処理装置毎に、前記開放宣言手段により前記ドロワの開放が宣言される毎に、この開放宣言手段に応じた前記指紋読取装置より出力された前記指紋データが前記記憶領域に記憶されている前記指紋データに合致するか否かを判断する第３の判断手段と、
前記第３の判断手段によって合致する前記指紋データがないと判断した場合に、前記指紋読取装置より出力された前記指紋データに合致する前記指紋データが前記指紋データ記憶テーブルにあるか否かを判断する第４の判断手段と、
前記商品販売データ処理装置毎に、前記第３または第４の判断手段のいずれか一方による判断が肯定的である場合に、対応する前記ロック機構のロックを解除させるように前記ロック機構を駆動制御するロック解除手段と、
を備えることを特徴とする商品販売データ処理システム。
【請求項６】
予め記憶されている前記指紋データに合致する前記指紋データがないと判断した場合に、前記指紋読取装置より出力された前記指紋データを不正履歴として記憶領域に登録する不正履歴登録手段を備える請求項４または５記載の商品販売データ処理システム。
【発明の詳細な説明】
【０００１】
【発明の属する技術分野】
本発明は、金銭を収納するドロワ装置を一体的に備えるＰＯＳ（Ｐｏｉｎｔ  Ｏｆ  Ｓａｌｅｓ）端末等の商品販売データ処理装置を含む商品販売データ処理システムに関する。
【０００２】
【従来の技術】
従来、ドロワ装置とＰＯＳ端末とが一体化された商品販売データ処理装置がある。ドロワ装置は、ケーシングに対して引き出し自在に収納されるドロワを備えている。ドロワ内には、金銭を収納するマネーケースが着脱自在に設けられている。通常、引き出しは施錠されており、替えキーや預／現計キー等の押し下げ等によってドロワの開放が宣言された場合にのみ開錠され、マネーケースが開放されるようになっている。
【０００３】
【発明が解決しようとする課題】
ところが、替えキーや預／現計キー等の押し下げのみでドロワを容易に開放することができるため、開閉のための操作の仕方を知っている人間であれば誰でもドロワの開閉を行ことが可能となり、セキュリティー性に不安を抱えている。
【０００４】
このため、特開平６−２７４７５９号公報には、指紋を検出する指紋センサ、登録者の指紋を予め登録しておく辞書等を備えたキャッシュレジスタが開示されている。同公報に開示された技術によれば、ドロワ開放時に、指紋センサにより検出した指紋と辞書に登録されている指紋とが合致した場合にのみ、ドロワがオープンされるため、登録されていない人物が不正にドロワを開放することを防止することができる。しかし、辞書に登録されている全ての指紋を照合するため、例えば、大型店舗等の店員を多数抱えている場合には、照合に時間がかかり、精算作業での作業効率が低下することが懸念される。また、このように精算作業で手間取ることにより、顧客に対して与える印象が悪くなってしまうことも懸念される。
【０００５】
本発明は、ドロワの開閉に関してセキュリティー性の高い商品販売データ処理装置を得ることを目的とする。
【０００６】
本発明は、煩雑な操作を必要とせずに、ドロワの開閉に関してセキュリティー性の高い商品販売データ処理装置および商品販売データ処理システムを得ることを目的とする。
【０００７】
本発明は、ドロワの開閉に関して作業効率を低下させずに高いセキュリティー性を有する商品販売データ処理装置および商品販売データ処理システムを得ることを目的とする。
【０００８】
【課題を解決するための手段】
請求項１記載の商品販売データ処理装置は、商品の売上登録処理を実行する商品販売データ処理装置において、ケーシングに対して引き出し自在なドロワを備えるドロワ装置と、前記ドロワをその閉塞位置で解除自在にロックするロック機構と、指紋を読み取り、読み取った前記指紋に基づいた指紋データを出力する指紋読取装置と、前記売上登録を行う販売員の前記指紋データが予め記憶される第１の記憶領域と、前記販売員以外の店員の前記指紋データが予め記憶される第２の記憶領域とを有する指紋データ記憶テーブルと、前記指紋読取装置による前記指紋の読取処理を含んで前記ドロワの開放を宣言する開放宣言手段と、前記開放宣言手段により前記ドロワの開放が宣言される毎に、前記指紋読取装置より出力された前記指紋データに合致する前記指紋データが前記第１の記憶領域にあるか否かを判断する第１の判断手段と、前記第１の判断手段によって合致する前記指紋データがないと判断した場合に、前記指紋読取装置より出力された前記指紋データに合致する前記指紋データが前記第２の記憶領域にあるか否かを判断する第２の判断手段と、前記第１または第２の判断手段のいずれか一方による判断が肯定的である場合に、ロックを解除させるように前記ロック機構を駆動制御するロック解除手段と、を備える。
【０００９】
したがって、開放宣言手段により指紋の読取処理を含むドロワの開放が宣言される毎に、指紋データ記憶テーブルが参照されて、第１または第２の判断手段のいずれか一方によって指紋読取装置より出力された指紋データに合致する指紋データがあると判断された場合にのみ、ロック解除手段によってロックが解除されるようにロック機構が駆動制御される。例えば、第１の判断手段によって第１の記憶領域にある指紋データに合致すると判断された場合には、第２の判断手段による第２の記憶領域の検索結果を待たずにロックが解除される。これによって、店員等の予め登録された人以外の人がドロワを開けることができないようにするとともに、必要最小限の時間でドロワを開放させることが可能になる。
【００１０】
請求項２記載の発明の商品販売データ処理装置は、商品の売上登録処理を実行する商品販売データ処理装置において、ケーシングに対して引き出し自在なドロワを備えるドロワ装置と、前記ドロワをその閉塞位置で解除自在にロックするロック機構と、指紋を読み取り、読み取った前記指紋に基づいた指紋データを出力する指紋読取装置と、店員の前記指紋データが予め記憶される指紋データ記憶テーブルと、指紋登録処理の実行を宣言する登録宣言手段と、前記登録宣言手段により前記指紋登録処理の実行が宣言され、前記指紋登録処理として、前記指紋読取装置によって読み取られて出力された前記指紋データが前記指紋データ記憶テーブルに記憶されている前記指紋データの一つに合致する場合、この指紋データを記憶領域に記憶する指紋データ記憶手段と、前記指紋読取装置による前記指紋の読取処理を含んで前記ドロワの開放を宣言する開放宣言手段と、前記開放宣言手段により前記ドロワの開放が宣言される毎に、前記指紋読取装置より出力された前記指紋データが前記記憶領域に記憶されている前記指紋データに合致するか否かを判断する第３の判断手段と、前記第３の判断手段によって合致する前記指紋データがないと判断した場合に、前記指紋読取装置より出力された前記指紋データに合致する前記指紋データが前記指紋データ記憶テーブルにあるか否かを判断する第４の判断手段と、前記第３または第４の判断手段のいずれか一方による判断が肯定的である場合に、ロックを解除させるように前記ロック機構を駆動制御するロック解除手段と、を備える。
【００１１】
したがって、登録宣言手段により指紋登録処理の実行が宣言され、指紋読取装置により読み取られ出力された指紋データが指紋データ記憶テーブルに記憶されている指紋データの一つに合致する場合、この指紋データが指紋データ記憶手段により記憶領域に記憶される。開放宣言手段により指紋の読取処理を含むドロワの開放が宣言される毎に、指紋読取装置より出力された指紋データが記憶領域に記憶された指紋データに合致するか否かが第３の判断手段によって判断され、合致しないと判断された場合にのみ、この指紋データが指紋データ記憶テーブルに記憶された指紋データに合致するか否かが第４の判断手段によって判断される。いずれかにより合致すると判断された場合にのみ、ロック解除手段によってロックが解除されるようにロック機構が駆動制御される。これによって、店員等の予め登録された人以外の人がドロワを開けることができないようにするとともに、予め記憶された最も使用頻度が高いと推測される指紋データに関しての判断を最初に実行することにより必要最小限の時間でドロワを開放させることが可能になる。
【００１２】
請求項３記載の発明は、請求項１または２記載の商品販売データ処理装置において、前記指紋データ記憶テーブルに記憶された前記指紋データに合致する前記指紋データがないと判断した場合に、前記指紋読取装置より出力された前記指紋データを不正履歴として記憶領域に登録する不正履歴登録手段を備える。
【００１３】
したがって、合致する指紋データがない場合には、ロック機構のロック解除が拒絶され、不正にドロワを開けようとした人の指紋データが不正履歴として登録される。これによって、ドロワが不正に開けられることを防止することが可能になる。
【００１４】
請求項４記載の発明の商品販売データ処理システムは、商品の売上登録処理を実行する複数台の商品販売データ処理装置が外部機器を介して通信自在に接続された商品販売データ処理システムにおいて、各商品販売データ処理装置毎に設けられ、ケーシングに対して引き出し自在なドロワを備えるドロワ装置と、各ドロワ装置毎に設けられ、前記ドロワをその閉塞位置で解除自在にロックするロック機構と、各商品販売データ処理装置毎に設けられ、指紋を読み取り、読み取った前記指紋に基づいた指紋データを対応する前記商品販売データ処理装置に対して出力する指紋読取装置と、各商品販売データ処理装置毎に設けられ、売上登録を行う販売員の前記指紋データが予め記憶される第１の記憶テーブルと、前記外部機器に設けられ、前記販売員以外の店員の前記指紋データが予め記憶される第２の記憶テーブルと、各商品販売データ処理装置毎に設けられ、対応する前記指紋読取装置による前記指紋の読取処理を含んで対応する前記ドロワの開放を宣言する開放宣言手段と、各商品販売データ処理装置毎に、前記開放宣言手段により前記ドロワの開放が宣言される毎に、この開放宣言手段に応じた前記指紋読取装置より出力された前記指紋データに合致する前記指紋データが前記第１の記憶テーブルにあるか否かを判断する第１の判断手段と、前記第１の判断手段によって合致する前記指紋データがないと判断した場合に、前記指紋読取装置より出力された前記指紋データに合致する前記指紋データが前記第２の記憶テーブルにあるか否かを判断する第２の判断手段と、各商品販売データ処理装置毎に、前記第１または第２の判断手段のいずれか一方による判断が肯定的である場合に、対応する前記ロック機構のロックを解除させるように前記ロック機構を駆動制御するロック解除手段と、を備える。
【００１５】
したがって、各商品販売データ処理装置毎に、開放宣言手段により指紋の読取処理を含むドロワの開放が宣言される毎に、指紋データ記憶テーブルが参照されて、第１または第２の判断手段のいずれか一方によって指紋読取装置より出力された指紋データに合致する指紋データがあると判断された場合にのみ、ロック解除手段によってロックが解除されるようにロック機構が駆動制御される。第１の判断手段によって第１の記憶領域にある指紋データに合致すると判断された場合には、第２の判断手段による第２の記憶領域の検索結果を待たずにロックが解除される。これによって、店員等の予め登録された人以外の人がドロワを開けることができないようにすることが可能になる。また、販売員等の使用頻度が高いと推測される指紋データが各商品販売データ処理装置毎に記憶されているため、ドロワの開放に関する処理速度を向上させることが可能になる。
【００１６】
請求項５記載の発明の商品販売データ処理システムは、商品の売上登録処理を実行する複数台の商品販売データ処理装置が外部機器を介して通信自在に接続された商品販売データ処理システムにおいて、各商品販売データ処理装置毎に設けられ、ケーシングに対して引き出し自在なドロワを備えるドロワ装置と、各ドロワ装置毎に設けられ、前記ドロワをその閉塞位置で解除自在にロックするロック機構と、各商品販売データ処理装置毎に設けられ、指紋を読み取り、読み取った前記指紋に基づいた指紋データを対応する前記商品販売データ処理装置に対して出力する指紋読取装置と、前記外部機器に設けられ、店員の前記指紋データが予め記憶される指紋データ記憶テーブルと、各商品販売データ処理装置毎に設けられ、指紋登録処理の実行を宣言する登録宣言手段と、各商品販売データ処理装置毎に、前記登録宣言手段により前記指紋登録処理の実行が宣言され、前記指紋登録処理として、対応する前記指紋読取装置によって読み取られて出力された前記指紋データが前記指紋データ記憶テーブルに記憶されている前記指紋データの一つに合致する場合、この指紋データを記憶領域に記憶する指紋データ記憶手段と、各商品販売データ処理装置毎に設けられ、対応する前記指紋読取装置による前記指紋の読取処理を含んで対応する前記ドロワの開放を宣言する開放宣言手段と、各商品販売データ処理装置毎に、前記開放宣言手段により前記ドロワの開放が宣言される毎に、この開放宣言手段に応じた前記指紋読取装置より出力された前記指紋データが前記記憶領域に記憶されている前記指紋データに合致するか否かを判断する第３の判断手段と、前記第３の判断手段によって合致する前記指紋データがないと判断した場合に、前記指紋読取装置より出力された前記指紋データに合致する前記指紋データが前記指紋データ記憶テーブルにあるか否かを判断する第４の判断手段と、前記商品販売データ処理装置毎に、前記第３または第４の判断手段のいずれか一方による判断が肯定的である場合に、対応する前記ロック機構のロックを解除させるように前記ロック機構を駆動制御するロック解除手段と、を備える。
【００１７】
したがって、各商品販売データ処理装置毎に、登録宣言手段により指紋登録処理の実行が宣言され、指紋読取装置により読み取られ出力された指紋データが指紋データ記憶テーブルに記憶されている指紋データの一つに合致する場合、この指紋データが指紋データ記憶手段により記憶領域に記憶される。開放宣言手段により指紋の読取処理を含むドロワの開放が宣言される毎に、対応する指紋読取装置より出力された指紋データが記憶領域に記憶された指紋データに合致するか否かが第３の判断手段によって判断され、合致しないと判断された場合にのみ、この指紋データが指紋データ記憶テーブルに記憶された指紋データに合致するか否かが第４の判断手段によって判断される。いずれかにより合致すると判断された場合にのみ、ロック解除手段によって対応するロック機構のロックが解除される。これによって、店員等の予め登録された人以外の人がドロワを開けることができないようにすることが可能になる。また、各商品販売データ処理装置に関して最も使用頻度が高いと推測される指紋データを予め記憶させ、この指紋データに関しての判断を最初に実行することにより必要最小限の時間でドロワを開放させることが可能になる。
【００１８】
請求項６記載の発明は、請求項３または４記載の商品販売データ処理システムにおいて、予め記憶されている前記指紋データに合致する前記指紋データがないと判断した場合に、前記指紋読取装置より出力された前記指紋データを不正履歴として記憶領域に登録する不正履歴登録手段を備える。
【００１９】
したがって、合致する指紋データがない場合には、ロック機構のロック解除が拒絶され、不正にドロワを開けようとした人の指紋データが不正履歴として登録される。これによって、ドロワが不正に開けられることを防止することが可能になる。
【００２０】
【発明の実施の形態】
本発明の第１の実施の形態を図１ないし図６に基づいて説明する。本実施の形態は、商品販売データ処理装置としてドロワ装置を備えるＰＯＳ端末に適用した一例を示すものである。
【００２１】
図１は、本発明の第１の実施の形態のＰＯＳ端末２およびドロワ装置１を示す斜視図である。ドロワ装置１上に載置されたＰＯＳ端末２には、各種のキーが集合するキーボード３、図示しない鍵によって操作モードを切り替え操作するコントロールキー４、プリンタ５（図４参照）によって印字されるレシートを発行するレシート発行口６およびジャーナル窓７が設けられている。図１中のＰＯＳ端末２のキーボード３の左側には、指紋読取装置８が設けられている。この指紋読取装置８は、読取窓９を介してスキャナ（図示せず）等により読み取った指紋を画像処理することにより、コンピュータによる処理が可能な指紋データ（図５参照）  ４１として出力する。なお、読み取った指紋を指紋データ４１とする技術については、公知であるため、説明を省略する。また、図１中のＰＯＳ端末２の右側上方には、操作者の表示部として機能するディスプレイ１０が配置され、このディスプレイ１０の近傍には、客側の表示部として機能する客側ディスプレイ１１が立設されている。また、このＰＯＳ端末２には、商品コードを光学的に読み取るバーコードスキャナ１２が接続されている。
【００２２】
ここで、図２は、ＰＯＳ端末２のキーボード３の各種のキーの配列を示す平面図である。キーボード３は、押し下げられることによりドロワ装置１の開放を宣言する開放宣言手段としての替えキー１３、預／現計キー１４等の各種のキーをブロック毎に配列した外観構造を有している。また、預／現計キー１４は、押し下げられることにより売上登録処理において現金による決済を宣言する。それ以外のキーについては、従来のＰＯＳ端末２が備えるキーであって本実施の形態に特有の機能とは無関係であるためその説明は省略する。
【００２３】
ドロワ装置１は、全面開口の箱型のケーシング１５と、ケーシング１５に引き出し自在に収納されるドロワ１６とを備えている。ドロワ１６には、金銭を収納するマネーケース１７が着脱自在に設けられている。
【００２４】
ここで、図３は、ドロワ装置１の内部構造を概略的に示す平面図である。ケーシング１５の内側の両側壁には、レール１８が水平方向に配置されている。ドロワ１６の両側面には、レール１８により案内される転動ローラ１９が取り付けられている。このような機構により、ドロワ１６はケーシング１５に対して引き出し自在となる。ドロワ１６の背面側（図３中左側）には、先端が上方へ屈曲された突起２０が取り付けられている。ドロワ１６の背面と対向するケーシング１５の奥内側の底面には、ソレノイド２１が取り付けられている。このソレノイド２１には、鉄芯２２に回動自在に取り付けられた係止爪２４が連結されている。この係止爪２４の中間部は、位置固定された支軸２３に回動自在に連結され、図示しないばね等によって、突起２０に係止する方向へ付勢されている。このような機構により、ソレノイド２１に通電して、係止爪２４を時計回り方向へ回動させることで、係止爪２４と突起２０との係止（ロック）が解除される（図３（ｂ））。本実施の形態では、係止爪２４、突起２０およびソレノイド２１によってロック機構２５が形成されている。
【００２５】
また、ケーシング１５の奥内側の底面には、フレーム２６が立設されており、このフレーム２６には、ドロワ１６を開放する方向へ付勢する圧縮ばね２７が取り付けられている。このような機構により、係止爪２４と突起２０とのロックが解除された場合には、圧縮ばね２７による付勢力によりドロワ１６が開放状態へ自動的に移動する。ドロワ１６をケーシング１５に押し込むと、係止爪２４が再び突起２０に係止することによりドロワ１６が収納状態でロックされる（図３（ａ））。本実施の形態では、この収納状態にあるドロワ１６の位置を閉塞位置とする。
【００２６】
図４は、ＰＯＳ端末２に内蔵された各部の電気的接続を示すブロック図である。ＰＯＳ端末２は、マイクロコンピュータ（以下、マイコンと略す）２８を内蔵し、このマイコン２８が上述した指紋読取装置８、ソレノイド２１、キーボード３、コントロールキー４、プリンタ５、ディスプレイ１０および客側ディスプレイ１１等の各部をバスライン２９と各種制御回路（図示せず）を介して駆動制御する。マイコン２８は、各部を集中的に駆動制御するＣＰＵ３０に、アドレスバス、データバス等のバスライン２９を介して、固定的データを予め格納するＲＯＭ３１、可変的なデータを書き換え自在に格納するＲＡＭ３２、日付や時刻を計測するタイマ３３を接続することにより形成されている。ＲＡＭ３２は、可変的なデータを書き換え自在に格納する機能を利用して、印字バッファや表示バッファ等のワークエリアや画像メモリ等の機能をも果たす。
【００２７】
ＣＰＵ３０に接続されたバスライン２９には、ＨＤＤ３４が接続されている。ＨＤＤ３４には、制御プログラムや、商品マスタファイル、売上ファイルおよび指紋データ記憶テーブル３５等が格納されている。ＨＤＤ３４に格納された制御プログラムは、ＰＯＳ端末２起動時に商品マスタファイルとともにＲＡＭ３２に書き込まれ、これによって、マイコン２８による各部の駆動制御が可能な状態になる。ここで、図５は、指紋データ記憶テーブル３５のファイル構造を示す概略図である。指紋データ記憶テーブル３５は、主に売上登録操作を行う販売員の指紋データ４１を予め記憶する第１の記憶領域としての販売員ファイル３６と、販売員以外の店員の指紋データ４１を予め記憶する第２の記憶領域としての店員ファイル３７とを有している。販売員ファイル３６および店員ファイル３７には、責任者毎に設定された責任者番号３８に対応づけて、責任者名称３９、パスワード４０、予め指紋読取装置８より読み取って出力された指紋データ４１等が記憶されている。指紋データ記憶テーブル３５に記憶される指紋データ４１は、図５に示すように、コード化されている。
【００２８】
特に図示しないが、商品マスタファイルは、商品コード毎に商品名、単価等の情報が対応づけられて記憶するファイル構造を備えている。また、特に図示しないが、売上ファイルは、売上明細や売上日付および売上金額等の商品売上履歴を記憶するファイル構造を備えている。さらに、特に図示しないが、ＨＤＤ３４には、ドロワの開放履歴が登録されるオープン履歴記憶エリア、ドロワの開放が不正に行われた履歴が登録される不正履歴登録エリア等が確保されている。このため、ＨＤＤ３４は記憶領域としても機能する。
【００２９】
特に図示しないが、ＲＡＭ３２には、後述する売上登録処理で指紋読取装置８より出力された指紋データ４１が、一時記憶される照合データエリアが確保されている。また、特に図示しないが、ＲＡＭ３２には、ＰＯＳ端末２の起動時に、各ＰＯＳ端末２毎に登録された責任者番号３８やＰＯＳ端末２の起動時刻等を一時記憶する責任者エリア（図示せず）が確保されている。この責任者エリアに記憶される各種の情報は、当該ＰＯＳ端末２を使用する責任者が変わる毎に更新され、その更新履歴は、例えば、ＨＤＤ３４等に格納された図示しない責任者履歴ファイルに登録される。
【００３０】
また、マイコン２８には、例えば、ストアコントローラ等の外部機器との間でデータの授受を行う通信Ｉ／Ｆ４２がバスライン２９を介して接続されている。
【００３１】
ここで、ＨＤＤ３４に格納された制御プログラムに基づいてマイコン２８が実行する機能について説明する。ＰＯＳ端末２では、コントロールキー４の切り替え操作によって、設定、登録、精算等の動作モードが設定される。
【００３２】
図６は、売上登録処理を概略的に示すフローチャートである。この売上登録処理は、コントロールキー４が登録モードにある場合に実行される。売上登録処理では、指紋読取装置８より出力された指紋データ４１があったと判断する（Ｓ１のＹ）、替えキー１３の押し下げがあったと判断する（Ｓ３のＹ）、商品データの入力があったと判断する（Ｓ１１のＹ）または預／現計キー１４の押し下げ（Ｓ１３のＹ）があったと判断するまで、待機する。
【００３３】
ステップＳ１で、指紋読取装置８より出力された指紋データ４１があったと判断した場合には（Ｓ１のＹ）、指紋読取装置８より出力された指紋データ４１をＲＡＭ３２の照合データエリアに一時記憶する（Ｓ２）。
【００３４】
一方、ステップＳ１で、指紋読取装置８より出力された指紋データ４１がないと判断した場合にも（Ｓ１のＮ）、以降の売上登録処理を並列的に実行しながら、指紋読取装置８より出力された指紋データ４１があったと判断するまで待機し、指紋読取装置８より出力された指紋データ４１があったと判断した場合には、ＲＡＭ３２の照合データエリアに随時記憶する。
【００３５】
ステップＳ３で、替えキー１３の押し下げがあったと判断した場合には（Ｓ３のＹ）、照合エリアを検索して、替えキー１３の押し下げがあったと判断するまでに照合データエリアに記憶された指紋データ４１の有無を判断する（Ｓ４）。
【００３６】
ステップＳ４で、替えキー１３の押し下げがあったと判断するまでに照合データエリアに指紋データ４１が記憶されていないと判断した場合には（Ｓ４のＮ）、一定時間が経過するまで（Ｓ６のＹ）、ディスプレイ１０に「指紋読取操作を行ってください」等のガイドメッセージを表示することにより指紋読取を要求する（Ｓ５）。
【００３７】
ステップＳ６で、一定時間が経過したと判断した場合には（Ｓ６のＹ）、再度、照合データエリアに記憶された指紋データ４１の有無を判断する（Ｓ７）。
【００３８】
ステップＳ４あるいはステップＳ７で、照合データエリアに記憶された指紋データ４１があったと判断した場合には（Ｓ４のＹ、Ｓ７のＹ）、指紋データ記憶テーブル３５の販売員ファイル３６を検索して、照合データエリアに記憶された指紋データ４１に合致する指紋データ４１があるか否かを判断する（Ｓ８）。ここに、第１の判断手段としての機能が実行される。
【００３９】
ステップＳ８で、指紋データ記憶テーブル３５の販売員ファイル３６を検索して、照合データエリアに記憶された指紋データ４１に合致する指紋データ４１がないと判断した場合には（Ｓ８のＮ）、指紋データ記憶テーブル３５の店員ファイル３７を検索して、照合データエリアに記憶された指紋データ４１に合致する指紋データ４１があるか否かを判断する（Ｓ９）。ここに、第２の判断手段としての機能が実行される。
【００４０】
一方、ステップＳ８で指紋データ記憶テーブル３５の販売員ファイル３６を検索して、合致する指紋データ４１があると判断した場合（Ｓ８のＹ）、あるいは、ステップＳ９で指紋データ記憶テーブル３５の店員ファイル３７を検索して、合致する指紋データ４１があると判断した場合には（Ｓ９のＹ）、合致すると判断された指紋データ４１に対応する店員コード等の操作者識別情報と、替えキー１３が押し下げられた時刻とを含むドロワオープン履歴をＨＤＤ３４のオープン履歴登録エリアに登録し（Ｓ１０）、ステップＳ２１に進む。
【００４１】
また、ステップＳ９で、指紋データ記憶テーブル３５の店員ファイル３７を検索して、照合データエリアに記憶された指紋データ４１に合致する指紋データ４１がないと判断した場合には（Ｓ９のＮ）、ステップＳ２２に進む。
【００４２】
ステップＳ１１で、バーコードスキャナ１２によるバーコードの読み取り等による商品データの入力があったと判断した場合には（Ｓ１１のＹ）、売上登録処理を実行する（Ｓ１２）。なお、売上登録処理については、公知の技術であるため、説明を省略する。売上登録処理は、預／現計キー１４の押し下げがあったと判断するまで（Ｓ１３のＹ）、繰り返して実行する。
【００４３】
ステップＳ１３で、預／現計キー１４の押し下げがあったと判断した場合には（Ｓ１３のＹ）、預／現計キー１４の押し下げがあったと判断するまでに照合データエリアに記憶された指紋データ４１の有無を判断する（Ｓ１４）。
【００４４】
ステップＳ１４で、預／現計キー１４の押し下げがあったと判断するまでに照合データエリアに記憶された指紋データ４１がないと判断した場合には（Ｓ１４のＹ）、ステップＳ１５からステップＳ１７までの処理を実行する。なお、ステップＳ１５からステップＳ１７までの処理は、ステップＳ５からステップＳ７までの処理と同様の処理であるため説明を省略する。
【００４５】
ステップＳ１４で預／現計キー１４の押し下げがあったと判断するまでに照合データエリアに記憶された指紋データ４１があったと判断した場合（Ｓ１４のＹ）、あるいは、ステップＳ１７で一定時間が経過したと判断するまでに照合データエリアに記憶された指紋データ４１があったと判断した場合には（Ｓ１７のＹ）、指紋データ記憶テーブル３５の販売員ファイル３６を検索して、照合データエリアに記憶された指紋データ４１に合致する指紋データ４１があるか否かを判断する（Ｓ１８）。ここに、第１の判断手段としての機能が実行される。
【００４６】
ステップＳ１８で、指紋データ記憶テーブル３５の販売員ファイル３６を検索して、照合データエリアに記憶された指紋データ４１に合致する指紋データ４１がないと判断した場合には（Ｓ１８のＮ）、指紋データ記憶テーブル３５の店員ファイル３７を検索して、照合データエリアに記憶された指紋データ４１に合致する指紋データ４１があるか否かを判断する（Ｓ１９）。ここに、第２の判断手段としての機能が実行される。
【００４７】
一方、ステップＳ１８で指紋データ記憶テーブル３５の販売員ファイル３６を検索して、合致する指紋データ４１があると判断した場合（Ｓ１８のＹ）、あるいは、ステップＳ１９で指紋データ記憶テーブル３５の店員ファイル３７を検索して、合致する指紋データ４１があると判断した場合には（Ｓ１９のＹ）、売上ファイルに売上履歴を登録するとともに、合致すると判断された指紋データ４１に対応する店員コード等の操作者識別情報と預／現計キー１４が押し下げられた時刻とを含むドロワオープン履歴をＨＤＤ３４のオープン履歴登録エリアに登録し（Ｓ２０）、ソレノイド２１をＯＮにする（Ｓ２１）。ここに、ロック解除手段としての機能が実行される。これによって、係止爪２４と突起２０との係止が解除されてロック機構２５のロックが解除され、圧縮ばね２７の付勢力によりドロワ１６が開放方向へスライドし、マネーケース１７が開放される。
【００４８】
一方、ステップＳ１９で、指紋データ記憶テーブル３５の店員ファイル３７を検索しても、照合データエリアに記憶された指紋データ４１に合致する指紋データ４１がないと判断した場合には（Ｓ１９のＮ）、照合データエリアに記憶された指紋データ４１と、預／現計キー１４が押し下げられた時刻とを不正履歴としてＨＤＤ３４の不正履歴登録エリアに登録し（Ｓ２２）、図示しないブザー等によって警告音を発する等の処理を実行することにより、不正を周囲に報知する（Ｓ２３）。ここに、不正履歴登録手段としての機能が実行される。
【００４９】
また、照合データエリアに記憶された指紋データ４１は、ドロワオープン履歴がオープン履歴登録エリアに登録される毎、あるいは、不正履歴が不正履歴登録エリアに登録される毎にクリアされ、以降の売上登録処理に備える。
【００５０】
ここに、替えキー１３あるいは預／現計キー１４の押し下げにより、指紋読取装置８により読み取った指紋データ４１を照合データ記憶エリアに記憶する処理を含むドロワ１６の開放が宣言され、指紋データ記憶テーブル３５を参照して、照合データエリアに記憶された指紋データ４１に合致する指紋データ４１があると判断された場合にのみ、ソレノイド２１がＯＮとされて係止爪２４と突起２０との係止が解除され、ドロワ１６が開放されるため、店員等の予め登録された人以外の人がドロワ１６を開けることができないようにすることが可能になり、ドロワ１６の開閉に関するセキュリティー性を向上させることができる。また、販売員ファイル３６にある指紋データ４１に合致する指紋データ４１があると判断された場合には、店員ファイル３７を検索する処理を行わずにソレノイド２１がＯＮとされて係止爪２４と突起２０との係止が解除されるため、必要最小限の時間でドロワ１６を開放させることができる。さらに、指を読取窓９に近づけて指紋を読み取らせる操作を追加するのみで、煩雑な操作を必要とせずに、ドロワ１６の開閉に関してセキュリティー性を向上させることができる。
【００５１】
なお、本実施の形態では、不正を報知する方法として、図示しないブザー等により警告音を鳴らすようにしたが、これに限るものではなく、例えば、ＰＯＳ端末２を専用回線等のネットワークを通じて警備会社や本部のコンピュータに予め接続しておくことにより、不正を警備会社や本部のコンピュータ等に報知するようにしてもよい。
【００５２】
本発明の第２の実施の形態を図７ないし図８に基づいて説明する。第１の実施の形態と同一部分は同一符号で示し、説明も省略する。以降の実施の形態についても同様とする。
【００５３】
第２の実施の形態では、ＰＯＳ端末２の起動時に、責任者としてそのＰＯＳ端末２を起動させた販売員等の指紋を記憶させることにより初めて当該ＰＯＳ端末２における全ての処理の実行を可能とする点が第１の実施の形態と異なる点である。
【００５４】
このため、第２の実施の形態のＲＡＭ３２には、ＰＯＳ端末２起動時に登録された責任者の指紋データ４１を記憶する記憶領域としての操作者エリア（図示せず）が確保されている。
【００５５】
図７は、第２の実施の形態の責任者設定処理を概略的に示すフローチャートである。指紋登録処理としての責任者設定処理は、コントロールキー４が設定モードにある場合に実行される。本実施の形態では、ＣＰＵ３０は、コントロールキー４が設定モードにある状態で読取窓９を介して指紋を読み取ったと判断した場合、責任者設定処理の実行が宣言されたと判断し、責任者設定処理を実行する。ここに、登録宣言手段としての機能が実行される。
【００５６】
まず、指紋読取装置８により指紋を読み取り（Ｔ１）、指紋データ記憶テーブル３５を検索して、指紋読取装置８より出力された指紋データ４１に合致する指紋データ４１があるか否かを判断する（Ｔ２）。
【００５７】
ステップＴ２で、指紋データ記憶テーブル３５を検索して、指紋読取装置８より出力された指紋データ４１に合致する指紋データ４１があると判断した場合には（Ｔ２のＹ）、この指紋データ４１をＲＡＭ３２の操作者エリアに記憶し、登録モードにおける売上登録処理を含むＰＯＳ端末２における全ての処理の実行を可能とする（Ｔ３）。ここに、指紋データ記憶手段としての機能が実行される。
【００５８】
一方、ステップＴ２で、指紋データ記憶テーブル３５を検索して、指紋読取装置８より出力された指紋データ４１に合致する指紋データ４１がないと判断した場合には（Ｔ２のＮ）、「該当するデータがありません」等のエラーメッセージを表示する等のエラー処理を実行する（Ｔ４）。
【００５９】
図８は、第２の実施の形態の売上登録処理を概略的に示すフローチャートである。第２の実施の形態の売上登録処理は、コントロールキー４が登録モードにある場合に実行される。ステップＴ１１からステップＴ１７までの処理は、ステップＳ１からステップＳ７までと同様の処理を実行する。
【００６０】
ステップＴ１３で替えキー１３の押し下げがあったと判断するまでに照合データエリアに記憶された指紋データ４１があったと判断した場合（Ｔ１３のＹ）、あるいは、ステップＴ１７で一定時間が経過したと判断するまでに照合データエリアに記憶された指紋データ４１があったと判断した場合には（Ｔ１７のＹ）、ＲＡＭ３２の操作者エリアを検索して、照合データエリアに記憶された指紋データ４１と合致するか否かを判断する（Ｔ１８）。ここに、第３の判断手段としての機能が実行される。
【００６１】
ステップＴ１８で、ＲＡＭ３２の操作者エリアを検索して、照合データエリアに記憶された指紋データ４１と合致しないと判断した場合には（Ｔ１８のＮ）、指紋データ記憶テーブル３５を検索して、照合データエリアに記憶された指紋データ４１と合致する指紋データ４１があるか否かを判断する（Ｔ１９）。ここに、第４の判断手段としての機能が実行される。
【００６２】
一方、ステップＴ１８でＲＡＭ３２の操作者エリアを検索して、合致する指紋データ４１があると判断した場合に（Ｔ１８のＹ）、あるいは、ステップＴ１９で指紋データ記憶テーブル３５を検索して、合致する指紋データ４１があると判断した場合には（Ｔ１９のＹ）、合致すると判断された指紋データ４１に対応する店員コード等の操作者識別情報と、替えキー１３が押し下げられた時刻とを含むドロワオープン履歴をＨＤＤ３４のオープン履歴登録エリアに登録し（Ｔ２０）、ステップＴ３１に進む。
【００６３】
また、ステップＴ１９で、指紋データ記憶テーブル３５を検索して、照合データエリアに記憶された指紋データ４１と合致する指紋データ４１がないと判断した場合には（Ｔ１９のＮ）、ステップＴ３２に進む。
【００６４】
ステップＴ２１からステップＴ２７までは、ステップＳ１１からステップＳ１７までの処理と同様の処理を実行する。
【００６５】
ステップＴ２４で預／現計キー１４の押し下げがあったと判断するまでに照合データエリアに記憶された指紋データ４１があったと判断した場合（Ｔ２４のＹ）、あるいは、ステップＴ２７で一定時間が経過したと判断するまでに照合データエリアに記憶された指紋データ４１があったと判断した場合には（Ｔ２７のＹ）、照合データエリアに記憶された指紋データ４１が操作者エリアに記憶されている指紋データ４１と合致するか否かを判断する（Ｔ２８）。ここに、第３の判断手段としての機能が実行される。
【００６６】
ステップＴ２８で、照合データエリアに記憶された指紋データ４１が操作者エリアに記憶されている指紋データ４１と合致しないと判断した場合には（Ｔ２８のＮ）、指紋データ記憶テーブル３５を検索して、指紋読取装置８より出力された指紋データ４１と合致する指紋データ４１があるか否かを判断する（Ｔ２９）。ここに、第４の判断手段としての機能が実行される。
【００６７】
一方、ステップＴ２８で操作者エリアに記憶されている指紋データ４１と合致すると判断した場合（Ｔ２８のＹ）、あるいは、ステップＴ２９で指紋データ記憶テーブル３５を検索して、合致する指紋データ４１があると判断した場合には（Ｔ２９のＹ）、売上ファイルに売上履歴を登録するとともに、合致すると判断された指紋データ４１に対応する店員コード等の操作者識別情報と預／現計キー１４が押し下げられた時刻とを含むドロワオープン履歴をＨＤＤ３４のオープン履歴登録エリアに登録し（Ｔ３０）、ソレノイド２１をＯＮにする（Ｔ３１）。ここに、ロック解除手段としての機能が実行される。これによって、係止爪２４と突起２０との係止が解除されてロック機構２５のロックが解除されて圧縮ばね２７の付勢力によりドロワ１６が開放方向へスライドし、マネーケース１７が開放される。
【００６８】
一方、ステップＴ２９で、指紋データ記憶テーブル３５を検索しても、読み取った指紋データ４１と合致する指紋データ４１がないと判断した場合には（Ｔ２９のＮ）、照合データエリアに記憶された指紋データ４１と、預／現計キー１４が押し下げられた時刻とを不正履歴としてＨＤＤ３４の不正登録エリアに登録し（Ｔ３２）、図示しないブザー等によって警告音を発する等の処理により、不正を周囲に報知する（Ｔ３３）。ここに、不正履歴登録手段としての機能が実行される。これによって、ドロワ１６が不正に開放されることを防止して、ドロワ１６の開放に関する信頼性を向上させることができる。
【００６９】
ここに、替えキー１３あるいは預／現計キー１４の押し下げによりドロワ装置１の開放が宣言された場合には、まず、操作者エリアに記憶された指紋データ４１が照合データエリアに記憶された指紋データ４１に合致するか否かが判断され、合致しないと判断された場合には、この指紋データ４１が指紋データ記憶テーブル３５に記憶された指紋データ４１に合致するか否かが判断され、いずれかにより合致すると判断された場合にのみ、ソレノイド２１がＯＮとされることによって係止爪２４と突起２０との係止が解除されてドロワ１６が開放される。これによって、店員等の予め登録された人以外の人がドロワ装置１を開けることができないようにするとともに、最も使用頻度が高いと推測される指紋データ４１を限定して最初に検索するため、必要最小限の時間でドロワ１６を開放させることができる。
【００７０】
本発明の第３の実施の形態を図９に基づいて説明する。第３の実施の形態は、商品販売データ処理システムとしてＰＯＳシステムへの適用例であり、店員ファイル３７がストアコントローラに記憶されている点が、第１の実施の形態と異なる点である。
【００７１】
図９は、ＰＯＳシステムを示す概略図である。ＰＯＳシステム４３は、例えば、店内に配置されて各々対応するドロワ装置１が接続された複数のＰＯＳ端末２が、店舗毎に設置される外部機器としてのストアコントローラ４４を介して有線接続されて形成されている。特に図示しないが、ストアコントローラ４４は、ＣＰＵ、ＲＯＭおよびＲＡＭがバスライン接続されることにより形成されたマイコンを内蔵しており、このマイコンによりストアコントローラ４４の各部が駆動制御される。ストアコントローラ４４のマイコンには、第２の記憶テーブルとしての店員ファイル３７が格納されるＨＤＤがバスライン接続されている。各ＰＯＳ端末２のＨＤＤ３４には、第１の記憶テーブルとしての販売員ファイル３６が格納されている。また、ストアコントローラ４４のマイコンには、ＰＯＳ端末２等の外部機器との間で情報の授受を行う通信Ｉ／Ｆがバスライン接続されている。各ＰＯＳ端末２の通信Ｉ／Ｆ４２は、ストアコントローラ４４の通信Ｉ／Ｆに接続されている。これによって、ストアコントローラ４４と各ＰＯＳ端末２との間で情報の通信が自在となる。さらに、ストアコントローラ４４は、店舗毎の売上の集計等の処理を行うホストコンピュータ４５に接続されている。
【００７２】
このような構成において、図６に示すような、売上登録処理を実行する場合には、各ＰＯＳ端末２毎に、照合データエリアに記憶された指紋データ４１の照合を含んだドロワの開閉を行うことが可能になるので、店員等の予め登録された人以外の人がドロワ１６を開放させることができないようにすることができる。また、ＰＯＳ端末２を使用する頻度が高いと推測される販売員の指紋データ４１が記憶された販売員ファイル３６が各ＰＯＳ端末２毎に格納されているため、照合データエリアに記憶された指紋データ４１に合致する指紋データ４１が販売員ファイル３６にあると判断した場合には、ストアコントローラ４４の店員ファイル４４との照合を行わせる必要がなく、必要最小限の時間でドロワ１６を開放させることができる。これによって、売上登録処理を迅速に行うことができるので、店舗運用上、顧客に対する印象の向上を図ることができる。
【００７３】
次に、第４の実施の形態について説明する。第４の実施の形態では、店員の指紋データ４１が記憶される指紋データ記憶テーブル３５が、ストアコントローラ４４のＨＤＤに格納されている点が、第２の実施の形態と異なる点である。
【００７４】
このような構成において、図７に示すような、責任者設定処理を実行する場合、各ＰＯＳ端末２毎に、指紋読取装置より出力された指紋データは、対応するＰＯＳ端末２のＲＡＭ３２の操作者エリアに記憶される。ここに、指紋データ記憶手段としての機能が実行される。この状態で、図８に示すような、売上登録処理を実行する場合には、最初に行う照合エリアに記憶された指紋データ４１の照合を、各ＰＯＳ端末２の操作者エリアに登録された責任者として最も使用頻度が高いと推測される販売員の指紋データ４１のみに限定して行うことで指紋データ４１の照合の可否を判断する処理を迅速に行うことができ、操作者エリアに登録された指紋データ４１に合致する指紋データ４１があると判断した場合には直ちにロック機構２５のロックを解除させるように駆動制御することで必要最小限の時間でドロワ１６を開放させることができる。これによって、売上登録処理を迅速に行うことができ、店舗運用上、顧客に対する印象の向上を図ることができる。
【００７５】
また、このようなＰＯＳシステム４３とすることにより、複数台のＰＯＳ端末２がストアコントローラ４４を介して各種の情報を共有することが可能であり、あるコンピュータで不正履歴として登録された指紋データ４１は別のＰＯＳ端末２においても不正履歴とされ、これによって、店舗全体でのドロワ１６開閉における信頼性を向上させることができる。
【００７６】
【発明の効果】
請求項１記載の商品販売データ処理装置によれば、予め登録された指紋データに合致する指紋データを読み取った場合にのみロックを解除してドロワを開放することが可能になるので、ドロワの開閉に関するセキュリティー性を向上させることができる。また、合致する指紋データがあると判断した時点で、ロックを解除することが可能になるので、ドロワの開放に関する処理速度を向上させることができる。
【００７７】
請求項２記載の発明の商品販売データ処理装置によれば、予め登録された指紋データに合致する指紋データを読み取った場合にのみロックを解除してドロワを開放することが可能になるので、ドロワの開閉においてセキュリティー性を向上させることができる。また、最も使用頻度が高いと推測される指紋データを予め登録し、ドロワを開放する際には、まずこの指紋データに合致するかを判断することにより、ドロワの開放に関する処理速度を向上させることができる。
【００７８】
請求項３記載の発明によれば、請求項１または２記載の商品販売データ処理装置において、ドロワを不正に開けようとした場合には、指紋データを含む不正履歴が登録されるので、心理的にもドロワの開放を抑制する作用が働き、ドロワの開閉に関する信頼性を向上させることができる。
【００７９】
請求項４記載の発明の商品販売データ処理システムによれば、各商品販売データ処理装置毎に、予め登録された指紋データに合致する指紋データを読み取った場合にのみロックを解除してドロワを開放することが可能になるので、ドロワの開閉に関するセキュリティー性を向上させることができる。また、販売員等の使用頻度が高いと推測される指紋データが各商品販売データ処理装置毎に記憶されているため、ドロワの開放に関する処理速度を向上させることができる。
【００８０】
請求項５記載の発明の商品販売データ処理システムによれば、各商品販売データ処理装置毎に、予め登録された指紋データに合致する指紋データを読み取った場合にのみロックを解除してドロワを開放することが可能になるので、ドロワの開閉に関するセキュリティー性を向上させることができる。また、最も使用頻度が高いと推測される指紋データを各商品販売データ処理装置毎に予め登録し、ドロワを開放する際には、まずこの指紋データに合致するかを判断することにより、ドロワの開放に関する処理速度を向上させることができる。
【００８１】
請求項６記載の発明によれば、請求項４または５記載の商品販売データ処理システムにおいて、ドロワを不正に開けようとした場合には、指紋データを含む不正履歴が登録されるので、心理的にもドロワの開放を抑制する作用が働き、ドロワの開閉に関する信頼性を向上させることができる。
【図面の簡単な説明】
【図１】第１の実施の形態のＰＯＳ端末およびドロワ装置を示す斜視図である。
【図２】ＰＯＳ端末のキーボードの各種の配列を示す正面図である。
【図３】ドロワ装置の内部構造を概略的に示す平面図である。
【図４】ＰＯＳ端末に内蔵された各部の電気的接続を示すブロック図である。
【図５】指紋データ記憶テーブルのファイル構造を示す概略図である。
【図６】第１の実施の形態の売上登録処理を概略的に示すフローチャートである。
【図７】第２の実施の形態の操作者設定処理を概略的に示すフローチャートである。
【図８】第２の実施の形態の売上登録処理を概略的に示すフローチャートである。
【図９】第３の実施の形態のＰＯＳシステムを示す概略図である。
【符号の説明】
１    ドロワ装置
８    指紋読取装置
２５    ロック機構
３５    指紋データ記憶テーブル
３６    第１の記憶領域、第１の記憶テーブル
３７    第２の記憶領域、第２の記憶テーブル
４３    商品販売データ処理システム
４４    外部機器
【図１】
0003596806.tif 000002
【図２】
0003596806.tif 000003
【図３】
0003596806.tif 000004
【図４】
0003596806.tif 000005
【図５】
0003596806.tif 000006
【図６】
0003596806.tif 000007
【図７】
0003596806.tif 000008
【図８】
0003596806.tif 000009
【図９】
0003596806.tif 000010